(57)【要約】【課題】  ケース本体を合成樹脂で形成して、ケース全体を薄くしても、強度を確保できる。【解決手段】  合成樹脂製のケース本体２の上面におけるモジュール収納部８の開口周囲に金属製のベゼル３を取り付け、このベゼル３の開口部１６に時計ガラス４およびソーラパネル１９を取り付けると共に、ケース本体２の下面に金属製の裏蓋５を配置してその下面に開口されたモジュール収納部８を塞ぎ、この状態でベゼル３と裏蓋５とを締結ねじ６で結合した。従って、金属製のベゼル３と金属製の裏蓋５との間に合成樹脂製のケース本体２を強固に挟み込むことができるため、ケース本体２が合成樹脂製であっても、金属製のベゼル３と金属製の裏蓋５とによって強度を確保でき、これにより時計ケース１全体を薄く形成しても、十分な強度を確保することができる。【選択図】        図１
2005098975.tif 000002
【特許請求の範囲】
【請求項１】
上下面に開口された収納部が形成された合成樹脂製のケース本体と、
このケース本体の上面における前記収納部の開口周囲に取り付けられ、且つ前記収納部に対応する開口部を有る金属製のベゼルと、
このベゼルの前記開口部に取り付けられたガラスと、
前記ケース本体の下面に開口された前記収納部を塞ぐ金属製の裏蓋と、
前記ベゼルと前記裏蓋とを結合する結合部材と
を備えたことを特徴する時計ケース。
【請求項２】
前記ケース本体と前記ベゼルとは両面接着テープによって接着されていることを特徴する請求項１に記載の時計ケース。
【請求項３】
前記ケース本体と前記ベゼルとの間には防水リングが配置され、前記ベゼルは飾り部材によって前記ケース本体に固定されていることを特徴する請求項１に記載の時計ケース。
【請求項４】
前記ケース本体には金属製のリング部材が設けられ、このリング部材の外周側に対応する個所において前記ベゼルが前記ケース本体にパッキンを介して圧入されていることを特徴する請求項１に記載の時計ケース。
【請求項５】
上下面に開口された収納部が形成された合成樹脂製のケース本体と、
このケース本体の上面における前記収納部の開口周囲に取り付けられ、且つ前記収納部に対応する開口部を有る金属製のベゼルと、
このベゼルと前記ケース本体との間に設けられた防水リングと、
前記ベゼルの前記開口部に取り付けられたガラスと、
前記ケース本体の下面に開口された前記収納部を塞ぐ金属製の裏蓋と、
前記ベゼルと前記裏蓋とを結合する結合部材と
を備えたことを特徴する時計ケース。
【請求項６】
前記ベゼルと前記ケース本体とは固定部材によって仮固定されていることを特徴とする請求項５に記載の時計ケース。
【請求項７】
前記ケース本体には前記ベゼルから外部側方に向けて延出する延出部が形成され、この延出部にはアンテナを収納するアンテナ収納部が設けられていることを特徴する請求項１〜６のいずれかに記載の時計ケース。
【発明の詳細な説明】
【技術分野】
【０００１】
この発明は、電子腕時計などの電子時計に用いられる時計ケースに関する。
【背景技術】
【０００２】
従来、電子腕時計においては、アンテナを内蔵した電波時計がある。この種の電子腕時計は、内蔵したアンテナで基準時刻電波を受信して時刻を修正するように構成されており、アンテナで電波を受信するため、時計ケースを合成樹脂で形成して、アンテナによる電波の受信を妨げないように構成されている。なお、このような電子腕時計においては、時計ケースに金属感を出すために、合成樹脂製の時計ケースの表面に金属薄板を被覆したものもある。
【特許文献１】特開２００２−９８７８０号公報
【発明の開示】
【発明が解決しようとする課題】
【０００３】
このような電子腕時計では、時計全体の薄型化が要望されており、この要望に応えて、時計ケースを薄くすると、時計ケースが合成樹脂で形成されているため、強度が弱くなるという問題がある。
【０００４】
この発明が解決しようとする課題は、ケース本体を合成樹脂で形成してケース全体を薄く形成しても、十分な強度を確保することができる時計ケースを提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図５に示すように、上下面に開口された収納部（モジュール収納部８）が形成された合成樹脂製のケース本体（２）と、このケース本体の上面における前記収納部の開口周囲に取り付けられ、且つ前記収納部に対応する開口部（１６）を有る金属製のベゼル（３）と、このベゼルの前記開口部に取り付けられたガラス（時計ガラス４）と、前記ケース本体の下面に開口された前記収納部を塞ぐ金属製の裏蓋（５）と、前記ベゼルと前記裏蓋とを結合する結合部材（締結ねじ６）とを備えたことを特徴する時計ケース（１、３０、４０）である。
【０００７】
請求項２に記載の発明は、図１および図２に示すように、前記ケース本体（２）と前記ベゼル（３）とが両面接着テープ（１８）によって接着されていることを特徴する請求項１に記載の時計ケース（１）である。
【０００８】
請求項３に記載の発明は、図３に示すように、前記ケース本体（２）と前記ベゼル（３）との間に防水リング（３１）が配置され、前記ベゼルが飾り部材（３２）によって前記ケース本体に固定されていることを特徴する請求項１に記載の時計ケース（３０）である。
【０００９】
請求項４に記載の発明は、図４および図５に示すように、前記ケース本体（２）に金属製のリング部材（４１）が設けられ、このリング部材の外周側に対応する個所において前記ベゼル（３）が前記ケース本体にパッキン（４２）を介して圧入されていることを特徴する請求項１に記載の時計ケース（４０）である。
【００１０】
請求項５に記載の発明は、図６〜図１０に示すように、上下面に開口された収納部（モジュール収納部８）が形成された合成樹脂製のケース本体（２）と、このケース本体の上面における前記収納部の開口周囲に取り付けられ、且つ前記収納部に対応する開口部（５８）を有る金属製のベゼル（３）と、このベゼルと前記ケース本体との間に設けられた防水リングと（５１）、前記ベゼルの前記開口部に取り付けられたガラス（時計ガラス４）と、前記ケース本体の下面に開口された前記収納部を塞ぐ金属製の裏蓋（５）と、前記ベゼルと前記裏蓋とを結合する結合部材（締結ねじ６）とを備えたことを特徴する時計ケース（５０）である。
【００１１】
請求項６に記載の発明は、図６〜図１０に示すように、前記ベゼル（３）と前記ケース本体（２）とが固定部材によって仮固定されていることを特徴とする請求項５に記載の時計ケース（５０）である。
【００１２】
請求項７に記載の発明は、図１〜図１０に示すように、前記ケース本体（２）に前記ベゼル（３）から外部側方に向けて延出する延出部（延出部９またはバンド取付部５３）が形成され、この延出部にアンテナ（１０）を収納するアンテナ収納部（１１）が設けられていることを特徴する請求項１〜６のいずれかに記載の時計ケース（１、３０、４０、５０）である。
【発明の効果】
【００１３】
請求項１に記載の発明によれば、合成樹脂製のケース本体の上面における収納部の開口周囲に金属製のベゼルを取り付けると共に、このベゼルの開口部にガラスを取り付け、且つケース本体の下面に金属製の裏蓋を配置してその下面に開口された収納部を塞ぎ、この状態でベゼルと裏蓋とを結合部材で結合することにより、金属製のベゼルと金属製の裏蓋との間に合成樹脂製のケース本体を挟み込むことができ、このためケース本体が合成樹脂製であっても、金属製のベゼルと金属製の裏蓋とによって強度を確保することができ、これにより時計ケース全体を薄く形成しても、十分に強度を確保することができる。
【００１４】
請求項２に記載の発明によれば、ケース本体とベゼルとを両面接着テープによって接着しているので、ベゼルにガラスを取り付けると共に、このベゼルをケース本体に両面接着テープで接着した状態で、ケース本体の収納部内に部品を良好に組み込むことができるほか、特にケース本体の下面に裏蓋を配置して結合部材でベゼルと裏蓋とを結合すると、ベゼルとケース本体との間で両面接着テープが圧縮されるので、この圧縮された両面接着テープによってベゼルとケース本体との気密性を確保することができる。
【００１５】
請求項３に記載の発明によれば、ケース本体とベゼルとの間に防水リングを配置し、この状態で飾り部材によってベゼルをケース本体に固定したので、ベゼルにガラスを取り付けた状態でケース本体の収納部内に部品を良好に組み込むことができるほか、特にケース本体の下面に裏蓋を配置して結合部材でベゼルと裏蓋とを結合すると、ベゼルとケース本体との間で防水リングが圧縮されるので、この圧縮された防水リングによってベゼルとケース本体との気密性を確保することができると共に、高気圧防水をも図ることができる。
【００１６】
請求項４に記載の発明によれば、ケース本体に金属製のリング部材を設け、このリング部材の外周側に対応する個所においてベゼルをケース本体にパッキンを介して圧入により固定するときに、金属製のリング部材によって合成樹脂製のケース本体が変形するのを防ぐことができ、このためパッキンを介してケース本体にベゼルを良好に且つ確実に圧入させることができ、これによりベゼルとケース本体との気密性を確保することができると共に、高気圧防水をも図ることができ、しかも金属製のリング部材によって合成樹脂製のケース本体の強度を補強することができるので、ケース本体自身の強度をも高めることができる。
【００１７】
請求項５に記載の発明によれば、合成樹脂製のケース本体の上面に防水リングを介して金属製のベゼルを配置すると共に、このベゼルの開口部にガラスを取り付け、且つケース本体の下面に金属製の裏蓋を配置し、この状態でベゼルと裏蓋とを結合部材で結合することにより、金属製のベゼルと金属製の裏蓋との間に合成樹脂製のケース本体を挟み込むことができると共に、金属製のベゼルと合成樹脂製のケース本体との間に防水リングを挟み付けることができる。このため、ケース本体が合成樹脂製であっても、金属製のベゼルと金属製の裏蓋とによって強度を確保することができ、これにより時計ケース全体を薄く形成しても、十分に強度を確保することができると共に、防水リングによってケース本体とベゼルとの間の防水性をも確保することができ、これにより高気圧防水をも図ることができる。
【００１８】
請求項６に記載の発明によれば、ベゼルとケース本体とが固定部材によって仮固定されていることにより、ケース本体の下面に裏蓋を配置する前に、ベゼルとケース本体との間に防水リングを固定部材によって固定することができるので、この状態でベゼルにガラスを良好に取り付けたり、ケース本体の収納部内に部品を良好に組み込んだりすることができる。すなわち、このときには、ケース本体を移動させたり、表裏反転させたりしても、ベゼルや防水リングがケース本体に対し位置ずれや脱落を起こすことがないので、部品を正確に且つ良好に組み込むことができ、これにより組み立て作業の向上を図ることができる。
【００１９】
請求項７に記載の発明によれば、合成樹脂製のケース本体にベゼルから外部側方に向けて延出する延出部を形成し、この延出部に設けられたアンテナ収納部にアンテナを収納するので、アンテナをベゼルから外部側方に配置することができ、このためベゼルが金属製であっても、アンテナがベゼルの影響を受けることが少なく、これによりアンテナで電波を良好に且つ確実に受信することができる。
【発明を実施するための最良の形態】
【００２０】
（実施形態１）
以下、図１および図２を参照して、この発明を電子腕時計に適用した実施形態１について説明する。
図１はこの発明を適用した電子腕時計の拡大断面図、図２はその要部を示した拡大断面図である。この電子腕時計は、図１に示すように、時計ケース１を備えている。この時計ケース１は、合成樹脂製のケース本体２と、このケース本体２の上面における開口周囲に取り付けられる金属製のベゼル３と、このベゼル３に取り付けらる時計ガラス４と、ケース本体２の下面に取り付けられる金属製の裏蓋５と、この裏蓋５とベゼル３とを結合する締結ねじ６とを備えた構成になっている。
【００２１】
ケース本体２は、ＡＢＳ樹脂などの合成樹脂からなり、その中央部には、図１に示すように、時計モジュール７を収納するモジュール収納部８が上下面に開口されて設けられている。また、このケース本体２にはベゼル３の外部側方（図１では右側方）に延出した延出部９が設けられており、この延出部９にはアンテナ１０を収納するアンテナ収納部１１が上面側に開放されて設けられている。
【００２２】
この場合、アンテナ１０は、ゴムなどの緩衝部材１２で包まれてアンテナ収納部１１に収納され、この状態で合成樹脂製のカバーパネル１３がアンテナ収納部１１を塞いで延出部９の上面に取り付けられることにより、このカバーパネル１３で覆われている。また、ケース本体２には、アンテナ収納部１１とモジュール収納部８とを連絡する連絡路１５が設けられており、アンテナ１０は、その接続リード１４が連絡路１５を通してモジュール収納部８内の時計モジュール７に電気的に接続されている。
【００２３】
ベゼル３は、ステンレスなどの強度の高い金属からなり、その中央部に開口部１６がモジュール収納部８に対応して設けられ、これにより全体が厚みの薄い枠形状に形成されている。このベゼル３は、ケース本体２の上面におけるモジュール収納部８の周囲に沿って設けられた位置決め用の突起部１７によって位置規制された状態で両面接着テープ１８によってケース本体２の上面に接着されている。
【００２４】
この場合、ベゼル３は、その開口部１６の内周面に鍔部１６ａがケース本体２のモジュール収納部８の上側に突出して設けられていると共に、この開口部１６の内周面における鍔部１６ａの上側に段差部１６ｂが設けられた構成になっている。これにより、ベゼル３は、その開口部１６内において鍔部１６ａ上にリング状のソーラパネル１９が装着され、このソーラパネル１９の上側に時計ガラス４が装着され、この状態で鍔部１６ａの下面にモジュール収納部８内の時計モジュール７の上面縁部が当接するように構成されている。
【００２５】
また、このベゼル３の下面には、図１に示すように、両面接着テープ１８を配置するためのテープ収納凹部２０が両面接着テープ１８の厚みよりも少し浅く形成されている。さらに、このベゼル３の下面における所定個所、例えばベゼル３の４隅に位置する個所には、図２に示すように、取付凸部２１が下方に突出して設けられている。この取付凸部２１は、ケース本体２の上面に設けられた取付凹部２２内に配置されている。また、このベゼル３の取付凸部２１には、図２に示すように、その下面側からねじ穴２１ａが設けられており、ケース本体２の取付凹部２２には、貫通孔２２ａがねじ穴２１ａに対応して設けられている。
【００２６】
裏蓋５は、ステンレスやチタンなどの強度の高い金属からなり、図１に示すように、全体が厚みの薄いほぼ平板状に形成され、ケース本体２のモジュール収納部８の下面を覆った状態で、防水リング２３を介して本体ケース２の下面に締結ねじ６によって取り付けられている。この場合、防水リング２３は、モジュール収納部８の周囲に沿ってケース本体２の下面に設けられたリング溝２４内に配置され、この状態で裏蓋５の上面に弾接するように構成されている。締結ねじ６は、裏蓋５に設けられた挿入孔２５に下側から挿入され、ケース本体２の取付凹部２２に設けられた貫通孔２２ａを通してベゼル３の取付凸部２１に設けられたねじ穴２１ａに螺入し、この状態で締め付けることにより、ベゼル３と裏蓋５とをその間にケース本体２を挟み付けて締結するように構成されている。
【００２７】
次に、このような電子腕時計を組み立てる場合について説明する。
この場合には、まず、ケース本体２の延出部９に設けられたアンテナ収納部１１にアンテナ１０をゴムなどの緩衝部材１２で包んで収納すると共に、このアンテナ１０の接続リード１４をケース本体２の連絡路１５を通してケース本体１のモジュール収納部８内に挿入させる。この状態で、延出部９の上面に合成樹脂製のカバーパネル１３を取り付けてアンテナ収納部１１を塞ぐ。そして、ベゼル３の開口部１６にソーラパネル１９および時計ガラス４を順に装着し、このベゼル３をケース本体２の上面に両面接着テープ１８で接着する。
【００２８】
このときには、ベゼル３の下面に設けられたテープ収納凹部２０に両面接着テープ１８を配置して接着し、この状態でベゼル３をケース本体２の上面に設けられた位置決め用の突起部１７によって位置決めして両面接着テープ１８をケース本体２の上面に接着する。これにより、ベゼル３がケース本体２の上面に取り付けられる。この状態では、ベゼル３の開口部１６に装着されたソーラパネル１９および時計ガラス４がケース本体２のモジュール収納部８に対応すると共に、このベゼル３の開口部１６の鍔部１６ａがモジュール収納部８の上側に突出する。また、ベゼル３の各ねじ穴２１ａはケース本体２の貫通穴２２ａに対応する。
【００２９】
そして、アンテナ１０の接続リード１４を時計モジュール７に接続すると共に、この時計モジュール７をケース本体２のモジュール収納部８内に下側から挿入し、この時計モジュール７の上面における周縁部をベゼル３の鍔部１６ａの下面に当接させて収納する。この後、ケース本体２の下面に設けられたリング溝２４内に防水リング２３を配置し、このケース本体２の下面に裏蓋５を配置してモジュール収納部８の下面側を塞ぐと共に、裏蓋５の挿入孔２５をケース本体２の貫通孔２２ａに対応させる。この状態で、裏蓋５の挿入孔２５に締結ねじ６をその下側から挿入してケース本体２の貫通孔２２ａに挿入させた上、ベゼル３のねじ穴２１ａに螺入させて締め付ける。これにより、裏蓋５の上面が防水リング２３に圧接すると共に、ベゼル３と裏蓋５とがその間にケース本体２を挟み込んで結合される。
【００３０】
このように、この電子腕時計の時計ケース１によれば、合成樹脂製のケース本体２の上面におけるモジュール収納部８の開口周囲に金属製のベゼル３を取り付け、このベゼル３の開口部１６に時計ガラス４およびソーラパネル１９を取り付けると共に、ケース本体２の下面に金属製の裏蓋５を配置してその下面に開口されたモジュール収納部８を塞ぎ、この状態でベゼル３と裏蓋５とを締結ねじ６で結合したので、金属製のベゼル３と金属製の裏蓋５との間に合成樹脂製のケース本体２を挟み込むことができる。
【００３１】
このため、ケース本体２が合成樹脂製であっても、金属製のベゼル３と金属製の裏蓋５とによって強度を確保することができ、これにより時計ケース１全体を薄く形成しても、十分な強度を確保することができる。因みに、この時計ケース１では、その全体の厚みを５ｍｍ程度にすることができ、従来１３ｍｍ程度の厚みであったのに対して、大幅に薄型化を図ることができる。
【００３２】
また、この時計ケース１では、合成樹脂製のケース本体２にベゼル３から外部側方に向けて延出する延出部９を形成し、この延出部９にアンテナ収納部１１を設け、このアンテナ収納部１１にアンテナ１０をゴムなどの緩衝部材１２で包んで収納しているので、アンテナ１０をベゼル３および裏蓋５から外部側方に配置することができ、これによりベゼル３および裏蓋５が金属製であっても、アンテナ１０がベゼル３や裏蓋５の影響を受けることが少なく、アンテナ１０で電波を良好に且つ確実に受信することができる。
【００３３】
さらに、この時計ケース１では、ケース本体２とベゼル３とを両面接着テープ１８によって接着しているので、時計ガラス４およびソーラパネル１９が取り付けられたベゼル３をケース本体２に両面接着テープ１８で接着した状態で、ケース本体２のモジュール収納部８内に時計モジュール７を良好に組み込むことができるほか、特にケース本体２の下面に裏蓋５を配置して締結ねじ６で締め付けてベゼル３と裏蓋５とを結合すると、ベゼル３とケース本体２との間に配置された両面接着テープ１８がベゼル３のテープ収納凹部２０によってほぼ一定に圧縮されるので、この圧縮された両面接着テープ１８によってベゼル３とケース本体２との気密性を安定させた状態で十分に確保することができる。
【００３４】
（実施形態２）
次に、図３を参照して、この発明を電子腕時計に適用した実施形態２について説明する。なお、図１および図２に示された実施形態１と同一部分には同一符号を付して説明する。
この電子腕時計の時計ケース３０は、図３に示すように、ケース本体２とベゼル３との間に防水リング３１を設け、ベゼル３を合成樹脂製の飾り部材３２によってケース本体２に固定した構造で、これ以外は実施形態１とほぼ同じ構造になっている。
【００３５】
すなわち、ケース本体１の上面とベゼル３の下面とには、ケース本体２の位置決め用の突起部１７に沿って溝部３３が互いに対応して設けられており、この両者の溝部３３内には防水リング３１が配置されている。この防水リング３１は、その断面の直径が両者の溝部３３の深さよりも大きく形成されている。飾り部材３２は、ベゼル３の表面に露出してベゼル３を装飾するためのものであり、ベゼル３の取付孔３４を通してケース本体２の取付穴３５に挿入し、この状態で超音波溶着によりケース本体２に固着されることにより、ベゼル３をケース本体２に取り付けるように構成されている。
【００３６】
このような時計ケース３０によれば、実施形態１と同様の作用効果があるほか、特にケース本体２とベゼル３との間に防水リング３１を配置し、この状態で合成樹脂製の飾り部材３２を合成樹脂製のケース本体２に超音波溶着してベゼル３をケース本体２に固定しているので、実施形態１と同様、ベゼル３に時計ガラス４およびソーラパネル１９を取り付けた状態でケース本体２のモジュール収納部８内に時計モジュール７を良好に組み込むことができるほか、特にケース本体２の下面に裏蓋５を配置して締結ねじ６で締め付けてベゼル３と裏蓋５とを結合すると、ベゼル３とケース本体２との間で防水リング３１が圧縮されるので、この圧縮された防水リング３１によってベゼル３とケース本体２との気密性を十分に確保することができる共に、高気圧防水をも図ることができる。
【００３７】
なお、上記実施形態２では、合成樹脂製の飾り部材３２を用い、この飾り部材３２をケース本体２に超音波溶着してベゼル３をケース本体２に固定したが、これに限らず、飾り部材にねじ部を設け、この飾り部材のねじ部をケース本体２に螺着してベゼル３をケース本体２に取り付けるように構成しても良い。
【００３８】
（実施形態３）
次に、図４を参照して、この発明を電子腕時計に適用した実施形態３について説明する。この場合にも、図１および図２に示された実施形態１と同一部分には同一符号を付して説明する。
この電子腕時計の時計ケース４０は、図４に示すように、ケース本体２に金属製のリング部材４１を埋め込み、このリング部材４１の外周側に位置する個所においてベゼル３をケース本体２にパッキン４２を介して圧入した構造で、これ以外は実施形態１とほぼ同じ構造になっている。
【００３９】
すなわち、ケース本体２のモジュール収納部８の内周面における上部には、装着凹部４３が設けられており、この装着凹部４３にはリング部材４１が埋め込まれている。このリング部材４１は、ステンレスなどの強度の高い金属からなり、合成樹脂製のケース本体２を補強するように構成されている。このリング部材４１の外周に位置するケース本体２の上面には、位置決め用の突起部１７がリング部材４１に沿って設けられている。また、この位置決め用の突起部１７の外周には、リング状のパッキン４２が配置されており、ベゼル３の下面には当接部４４がパッキン４２の外周面に対応して設けられている。
【００４０】
このような時計ケース４０によれば、実施形態１と同様の作用効果があるほか、特にケース本体２に金属製のリング部材４１を設け、このリング部材４１の外周側に対応する個所においてベゼル３をケース本体２にパッキン４２を介して圧入により装着しているので、その圧入時に金属製のリング部材４１によって合成樹脂製のケース本体２が変形するのを防ぐことができる。
【００４１】
このため、ベゼル３をケース本体２にパッキン４２を介して良好に且つ確実に圧入させることができ、これによりベゼル３とケース本体２との気密性をパッキン４２によって十分に確保することができるので、高気圧防水をも図ることができる。また、この時計ケース４０では、金属製のリング部材４１によって合成樹脂製のケース本体２の強度を補強することができるので、ケース本体２自身の強度をも高めることができ、より一層、強度の高いものを得ることができる。
【００４２】
なお、上記実施形態３では、ケース本体２にリング部材４１を単に埋め込んだ場合について述べたが、これに限らず、例えば図５に示すように、リング部材４１の内周面に傾斜部４５を形成した構造でも良い。このようにすれば、リング部材４１の傾斜部４５により時計モジュール７の見切り部材として用いることができ、これにより部品点数を削減することができる。
【００４３】
（実施形態４）
次に、図６〜図１０を参照して、この発明を電子腕時計に適用した実施形態４について説明する。この場合にも、図１および図２に示された実施形態１と同一部分に同一符号を付して説明する。
この電子腕時計の時計ケース５０は、実施形態１と同様、合成樹脂製のケース本体２と、このケース本体２の上面における開口周囲に取り付けられる金属製のベゼル３と、このベゼル３に取り付けらる時計ガラス４と、ケース本体２の下面に取り付けられる金属製の裏蓋５と、この裏蓋５とベゼル３とを結合する締結ねじ６とを備えているほか、特にケース本体２とベゼル３との間に配置される防水リング５１と、ケース本体２とベゼル３とを仮固定する固定ねじ５２とを備えた構成になっている。
【００４４】
ケース本体２は、実施形態１と同様、ＡＢＳ樹脂などの合成樹脂からなり、その中央部には、図７および図８に示すように、時計モジュール７を収納するモジュール収納部８が上下面に開口されて設けられている。また、このケース本体２の１２時側と６時側の両側部には、図８に示すように、ベゼル３の外部側方に延出するバンド取付部５３が設けられている。これらバンド取付部５３は実施形態１の延出部９に相当するものであり、このバンド取付部５３には合成樹脂製の装飾部材５４がそれぞれ配置されており、これら合成樹脂製の装飾部材５４およびバンド取付部５３の各表面には、装飾用のステンレスなどの薄い金属板５５が両面接着テープ５６によってそれぞれ接着されている。
【００４５】
また、これらバンド取付部５３のうち、１２時側に位置するバンド取付部５３内には、図８に示すように、アンテナ１０を収納するアンテナ収納部１１が設けられている。この場合、アンテナ１０は、実施形態１と同様、ゴムなどの緩衝部材１２で包まれてアンテナ収納部１１に収納され、この状態で合成樹脂製の装飾部材５４で覆われている。また、ケース本体２には、アンテナ収納部１１とモジュール収納部８とを連絡する連絡路１５が設けられている。そして、アンテナ１０は、その接続リード１４が連絡路１５を通してモジュール収納部８内の時計モジュール７内に挿入され、この挿入された部分がコイルばね５７によって時計モジュール７に電気的に接続されている。
【００４６】
一方、ベゼル３は、実施形態１と同様、ステンレスなどの強度の高い金属からなり、図７および図８に示すように、その中央部に開口部５８がモジュール収納部８に対応して設けられ、全体がほぼ円筒形状に形成され、図７および図１０に示すように、ケース本体２の上面および周側面に装着されるように構成されている。この場合、ベゼル３は、その開口部５８の内周面における下部に鍔部５８ａが形成されていると共に、この開口部５８の内周面における鍔部５８ａの上側にガラス装着部５８ｂが鍔部５８ａの内径よりも大きく形成され、このガラス装着部５８ｂ内に時計ガラス４がパッキン４ａを介して装着されるように構成されている。
【００４７】
また、このベゼル３に対応するケース本体２の上面には、図７および図８に示すように、リング収納溝５９がモジュール収納部８の開口に沿って環状に設けられており、このリング収納溝５９内には防水リング５１が収納されている。この防水リング５１は、ゴムなどの弾性を有する合成樹脂からなり、防水リング５１の上部がケース本体２の上面から少し突出した状態でケース本体２のリング収納溝５９内に収納され、この突出した部分がベゼル３の下面に密着するように構成されている。また、このベゼル３は、図７に示すように、ケース本体２に固定ねじ５２によって仮固定されるように構成されている。
【００４８】
すなわち、ケース本体２の外周面における３時側と９時側との各個所には、取付突起部６０が設けられており、これら取付突起部６０には、ねじ挿通孔６１が上下に貫通して設けられている。この取付突起部６０に対応するベゼル３の下面には、固定ねじ５２が螺入するねじ穴６２がねじ挿通孔６１に対応して設けられている。これにより、ベゼル３は、ケース本体２の上部側に装着された状態で、ケース本体２の下側から取付突起部６０のねじ挿通孔６１内に固定ねじ５２を挿入させてベゼル３のねじ穴６２に螺入させ、この状態で固定ねじ５２を締め付けることにより、防水リング５１を圧縮させてケース本体２に固定されるように構成されている。
【００４９】
裏蓋５は、実施形態１と同様、ステンレスやチタンなどの強度の高い金属からなり、図８および図１０に示すように、全体がほぼ平板状に形成され、ケース本体２のモジュール収納部８の下面を覆った状態で、防水リング２３を介して本体ケース２の下面に締結ねじ６によって取り付けられている。この場合にも、防水リング２３は、モジュール収納部８の周囲に沿ってケース本体２の下面に設けられたリング溝２４内に配置され、この状態で裏蓋５の上面に弾接するように構成されている。
【００５０】
締結ねじ６は、図９に示すように、３時側と９時側（図示せず）とにそれぞれ２か所ずつ、例えば３時側における１時付近と５時付近との２か所、および図示しないが９時側における７時付近と１１時付近との２か所にそれぞれ設けられている。また、この締結ねじ６は、図１０に示すように、裏蓋５に設けられた挿入孔２５に下側から挿入され、ケース本体２のバンド取付部５３の基端部に設けられた貫通孔２２ａを通してベゼル３の下面に設けられたねじ穴２１ａに螺入し、この状態で締め付けてベゼル３と裏蓋５とを締結することにより、ベゼル３と裏蓋５との間にケース本体２を挟み付けるように構成されている。
【００５１】
次に、このような電子腕時計を組み立てる場合について説明する。
この場合には、まず、ケース本体２のバンド取付部５３のうち、図８に示すように、１２時側のバンド取付部５３に設けられたアンテナ収納部１１にアンテナ１０をゴムなどの緩衝部材１２で包んで収納すると共に、このアンテナ１０の接続リード１４をケース本体２の連絡路１５を通してケース本体１のモジュール収納部８内に挿入させる。この状態で、両側のバンド取付部５３の上面に合成樹脂製の装飾部材５４をそれぞれ取り付けると共に、これら装飾部材５４およびバンド取付部５３の各表面にステンレスなどの金属板５５を両面接着テープ５６でそれぞれ接着する。
【００５２】
この後、ケース本体２の上面に設けられたリング収納溝５９内に防水リング５１を配置し、この状態でケース本体２の上面側にベゼル３を配置する。そして、図７に示すように、ケース本体２の外周面に設けられた取付突起部６０のねじ挿通孔６１に固定ねじ５２を下側から挿入させてベゼル３のねじ穴６２に螺入し、この固定ねじ５２を締め付けて、ケース本体２にベゼル３を仮固定する。これにより、ケース本体２とベゼル３との間に防水リング５１が圧縮されて挟み付けられる。この状態で、ベゼル３の開口部５８に形成されたガラス装着部５８ｂに時計ガラス４をパッキン４ａを介して装着する。
【００５３】
そして、ケース本体２を上下反転させて、ケース本体２のモジュール収納部８内に時計モジュール７を収納し、この時計モジュール７にアンテナ１０の接続リード１４をコイルばね５７によって電気的に接続する。この後、実施形態１と同様、ケース本体２の下面に設けられたリング溝２４に防水リング２３を配置すると共に、この本体ケース２の下面に裏蓋５を配置してモジュール収納部８を塞ぐ。そして、裏蓋５の挿入孔２５に締結ねじ６を下側から挿入し、ケース本体２の貫通穴２２ａを通してベゼル３のねじ穴２１ａに螺入する。この状態で、締結ねじ６を締め付けることにより、ベゼル３と裏蓋５とを締結してベゼル３と裏蓋５との間にケース本体２を挟み付ける。これにより、電子腕時計が組み立てられる。
【００５４】
このように、この電子腕時計の時計ケース５０によれば、合成樹脂製のケース本体２の上面に防水リング５１を介して金属製のベゼル３を配置し、固定ねじ５２によってベゼル３をケース本体２に仮固定し、この状態でベゼル３に時計ガラス４を装着すると共に、ケース本体２内に時計モジュール７を収納して、ケース本体２の下面に防水リング２３を介して金属製の裏蓋５を配置し、この裏蓋５とベゼル３とを締結ねじ６で結合するので、金属製のベゼル３と金属製の裏蓋５との間に合成樹脂製のケース本体２を挟み込むことができると共に、合成樹脂製のケース本体２と金属製のベゼル３との間に防水リング５１を圧縮させて挟み付けることができる。
【００５５】
このため、実施形態１と同様、ケース本体２が合成樹脂製であっても、金属製のベゼル３と金属製の裏蓋５とによって強度を確保することができ、これにより時計ケース１全体を薄く形成しても、十分な強度を確保することができるほか、特に防水リング５１によってケース本体２とベゼル３との間の防水性をも確保することができ、これにより高気圧防水を図ることができる。この場合には、予め、ベゼル３をケース本体２に固定ねじ５２によって仮固定するので、この状態でベゼル３に時計ガラス４を取り付けたり、ケース本体２内に時計モジュール７を組み込んだりすることが容易にできる。すなわち、このときには、ケース本体２を移動させたり、表裏反転させたりしても、ベゼル３や防水リング５１がケース本体１に対し位置ずれや脱落を起こすことがないので、時計ガラス４や時計モジュール７などの部品を良好に組み込むことができる。
【００５６】
また、この場合にも、合成樹脂製のケース本体２にベゼル３から外部側方に向けて延出するバンド取付部５３を形成し、このバンド取付部５３にアンテナ収納部１１を設け、このアンテナ収納部１１にアンテナ１０をゴムなどの緩衝部材１２で包んで収納しているので、アンテナ１０をベゼル３および裏蓋５から外部側方に配置することができ、これによりベゼル３および裏蓋５が金属製であっても、アンテナ１０がベゼル３や裏蓋５の影響を受けることが少なく、アンテナ１０で電波を良好に且つ確実に受信することができる。
【００５７】
なお、上記実施形態１〜４およびその変形例では、電子腕時計に適用した場合について述べたが、これに限らず、懐中時計やトラベルウォッチなどの電子時計にも適用することができる。
【図面の簡単な説明】
【００５８】
【図１】この発明を適用した電子腕時計の拡大断面図である。（実施形態１）
【図２】図１の要部を示した拡大断面図である。
【図３】この発明を適用した電子腕時計の要部を示した拡大断面図である。（実施形態２）
【図４】この発明を適用した電子腕時計の要部を示した拡大断面図である。（実施形態３）
【図５】図４の変形例を示した要部の拡大断面図である。
【図６】この発明を適用した電子腕時計の拡大正面図である。（実施形態４）
【図７】図６のＡ−Ａ矢視における拡大断面図である。
【図８】図６のＢ−Ｂ矢視における拡大断面図である。
【図９】図６の電子腕時計を下面側から見てその３時側のほぼ半分を示した下面図である。
【図１０】図９のＣ−Ｃ矢視における拡大断面図である。
【符号の説明】
【００５９】
１、３０、４０、５０  時計ケース
２  ケース本体
３  ベゼル
４  時計ガラス
５  裏蓋
６  締結ねじ
７  時計モジュール
８  モジュール収納部
１０  アンテナ
１１  アンテナ収納部
１６、５８  開口部
１８  両面接着テープ
２０  テープ収納凹部
２１ａ  ねじ穴
２２ａ  貫通孔
２５  挿入孔
３１、５１  防水リング
３２  飾り部材
４１  リング部材
４２  パッキン
５２  固定ねじ
６０  取付突起部
６１  ねじ挿通孔
６２  ねじ穴
【図１】
2005098975.tif 000003
【図２】
2005098975.tif 000004
【図３】
2005098975.tif 000005
【図４】
2005098975.tif 000006
【図５】
2005098975.tif 000007
【図６】
2005098975.tif 000008
【図７】
2005098975.tif 000009
【図８】
2005098975.tif 000010
【図９】
2005098975.tif 000011
【図１０】
2005098975.tif 000012